(57)【要約】【課題】雄端子金具と雌端子金具の接続動作の安定化を図る。【解決手段】コネクタは、雄側ハウジング１０と雌側ハウジング３０が対向する位置関係で接近することで、雄端子金具１６のタブ１８が雌側ハウジング３０内に挿入されて雌端子金具３４と接続する。雄側ハウジング１０には、タブ１８を相対変位可能に貫通させた状態で移動可能な可動部材２０が設けられ、可動部材２０における雌側ハウジング３０との対向面には位置決め凸部２６（雄側位置決め部）が形成され、雌側ハウジング３０における可動部材２０との対向面には、タブ１８の前端部が可動部材２０を貫通し且つ雌側ハウジング３０と非接触の状態で、位置決め凸部２６と嵌合する位置決め凹部３１（雌側位置決め部）が形成されている。【選択図】図４
2018113205.tif 000002
【特許請求の範囲】
【請求項１】
雄側ハウジングと、
前記雄側ハウジングに設けられ、前端部にタブが形成された雄端子金具と、
前記雄側ハウジングと対向するように配される雌側ハウジングと、
前記雌側ハウジングに設けられた雌端子金具とを備え、
前記雄側ハウジングと前記雌側ハウジングが対向する位置関係で接近することで、前記タブが前記雌側ハウジング内に挿入されて前記雌端子金具と接続するようになっているコネクタであって、
前記雄側ハウジングには、前記タブを相対変位可能に貫通させた状態で移動可能な可動部材が設けられ、
前記可動部材における前記雌側ハウジングとの対向面には、雄側位置決め部が形成され、
前記雌側ハウジングにおける前記可動部材との対向面には、前記タブの前端部が前記可動部材を貫通し且つ前記雌側ハウジングと非接触の状態で、前記雄側位置決め部と嵌合する雌側位置決め部が形成されていることを特徴とするコネクタ。
【請求項２】
前記雄側ハウジングには、前記タブと前記可動部材を収容し且つ前記雌側ハウジングを嵌入させるフード部が形成され、
前記雄側位置決め部が突起状をなし、
前記雌側位置決め部が凹んだ形態であることを特徴とする請求項１記載のコネクタ。
【請求項３】
前記可動部材は、板厚方向を前記雄側ハウジングと前記雌側ハウジングの嵌合方向と平行に向けた平板状をなしており、
前記雄側位置決め部が、前記可動部材に対して略直角に突出した板状をなしていることを特徴とする請求項２記載のコネクタ。
【発明の詳細な説明】
【技術分野】
【０００１】
本発明は、コネクタに関するものである。
【背景技術】
【０００２】
特許文献１には、雄側ハウジングに雄端子金具を取り付け、雌側ハウジングに雌端子金具を取り付け、雌雄両ハウジングを嵌合することにより、雄端子金具と雌端子金具を接続するようにしたコネクタが開示されている。
【先行技術文献】
【特許文献】
【０００３】
【特許文献１】特開２０００−２９４３３３号公報
【発明の概要】
【発明が解決しようとする課題】
【０００４】
この種のコネクタでは、雌側ハウジングの正面に、雄端子金具の先端のタブを雌側ハウジング内に誘い込むためのテーパ面が形成されている。しかし、コネクタが小型化されたものの場合、雄端子金具のタブの先端部が細長く尖った形状になるため、タブがテーパ面に突き刺さることが懸念される。タブがテーパ面に突き刺さると、雌雄両端子金具が接続されなくなる。
【０００５】
本発明は上記のような事情に基づいて完成されたものであって、雄端子金具と雌端子金具の接続動作の安定化を図ることを目的とする。
【課題を解決するための手段】
【０００６】
本発明は、
雄側ハウジングと、
前記雄側ハウジングに設けられ、前端部にタブが形成された雄端子金具と、
前記雄側ハウジングと対向するように配される雌側ハウジングと、
前記雌側ハウジングに設けられた雌端子金具とを備え、
前記雄側ハウジングと前記雌側ハウジングが対向する位置関係で接近することで、前記タブが前記雌側ハウジング内に挿入されて前記雌端子金具と接続するようになっているコネクタであって、
前記雄側ハウジングには、前記タブを相対変位可能に貫通させた状態で移動可能な可動部材が設けられ、
前記可動部材における前記雌側ハウジングとの対向面には、雄側位置決め部が形成され、
前記雌側ハウジングにおける前記可動部材との対向面には、前記タブの前端部が前記可動部材を貫通し且つ前記雌側ハウジングと非接触の状態で、前記雄側位置決め部と嵌合する雌側位置決め部が形成されているところに特徴を有する。
【発明の効果】
【０００７】
タブの前端部が可動部材を貫通している状態で雄側ハウジングと雌側ハウジングを接近させると、タブが雌側ハウジングと非接触の状態で雄側位置決め部と雌側位置決め部が嵌合する。この嵌合により、可動部材とタブの前端部が、雌側ハウジングと雌端子金具に対して位置決めされるので、タブと雌端子金具との接続動作が安定する。
【図面の簡単な説明】
【０００８】
【図１】実施例１のコネクタにおいて雄側ハウジングと雌側ハウジングを離脱した状態をあらわす側面図
【図２】図１のＸ−Ｘ線断面図
【図３】雄側ハウジングと雌側ハウジングの嵌合を開始した状態をあらわすＸ−Ｘ線相当断面図
【図４】位置決め凸部と位置決め凹部の嵌合により可動部材と雌側ハウジングを位置決めした状態をあらわすＸ−Ｘ線相当断面図
【図５】図４のＹ−Ｙ線断面図
【図６】雄側ハウジングと雌側ハウジングが嵌合した状態をあらわすＸ−Ｘ線相当断面図
【図７】雄側ハウジングと雌側ハウジングが嵌合した状態をあらわすＹ−Ｙ線相当断面図
【図８】雄側ハウジングの斜視図
【図９】雄側ハウジングの正面図
【図１０】可動部材の斜視図
【図１１】可動部材の側面図
【図１２】雌側ハウジングの正面図
【発明を実施するための形態】
【０００９】
本発明は、前記雄側ハウジングには、前記タブと前記可動部材を収容し且つ前記雌側ハウジングを嵌入させるフード部が形成され、前記雄側位置決め部が突起状をなし、前記雌側位置決め部が凹んだ形態であってもよい。この構成によれば、突起状の雄側位置決め部をフード部により異物の干渉から保護することができる。雌側位置決め部は、凹んだ形態なので、異物の干渉によって変形等を来す虞がない。
【００１０】
本発明は、前記可動部材は、板厚方向を前記雄側ハウジングと前記雌側ハウジングの嵌合方向と平行に向けた平板状をなしており、前記雄側位置決め部が、前記可動部材に対して略直角に突出した板状をなしていてもよい。この構成によれば、可動部材は、平板状をなすために移動過程で傾くことが懸念されるが、雄側位置決め部が可動部材と略直角な板状をなしているので、雄側位置決め部が雌側位置決め部に嵌合すれば、可動部材の傾きが防止される。
【００１１】
＜実施例１＞
以下、本発明を具体化した実施例１を図１〜図１２を参照して説明する。尚、以下の説明において、雄側ハウジング１０の前後の方向については、図１〜７における右方を前方と定義し、雌側ハウジング３０の前後の方向については、図１〜７における左方を前方と定義する。上下の方向については、図１，５，８〜１２にあらわれる向きを、そのまま上方、下方と定義する。
【００１２】
本実施例のコネクタは、合成樹脂製の雄側ハウジング１０と、雄側ハウジング１０に取り付けた複数の雄端子金具１６と、雄側ハウジング１０に取り付けた合成樹脂製の可動部材２０と、雄側ハウジング１０と嵌合可能な合成樹脂製の雌側ハウジング３０と、雌側ハウジング３０に取り付けた複数の雌端子金具３４とを備えて構成されている。
【００１３】
雄側ハウジング１０は、ブロック状をなすハウジング本体部１１と、ハウジング本体部１１の前端面外周から前方へ角筒状に突出したフード部１２とを備えた単一部品である。ハウジング本体部１１内には複数の端子収容室１３が上下左右に整列して形成されている。ハウジング本体の上面前端部には、左右一対の係止受け部１４が形成されている。一対の係止受け部１４の間の空間は、フード部１２の後端部の上端に連通している。
【００１４】
ハウジング本体の左右両側縁部における下端部には、前後方向（雄側ハウジング１０と雌側ハウジング３０の嵌合方向と平行な方向）に延びる左右一対のガイド孔１５が形成されている（図９を参照）。両ガイド孔１５の前端は、フード部１２の奥端面（ハウジング本体部１１の前端面）に開口している。
【００１５】
雄端子金具１６は、前後方向に細長い形状であり、端子本体部１７と、端子本体部１７の前端から前方へ細長く延出したタブ１８とを備えている。端子本体部１７の後端部は電線１９の前端部に導通可能に固着されている。雄端子金具１６は、端子本体部１７を前後移動を規制された状態で端子収容室１３に収容した状態で、雄側ハウジング１０に取り付けられている。複数のタブ１８は、ハウジング本体部１１の前端面から前方へ突出し、フード部１２で包囲されている。
【００１６】
可動部材２０は、プレート本体２１と、左右対称な一対のガイドアーム２３と、左右対称な一対の係止アーム２４と、位置決め凸部２６（請求項に記載の雄側位置決め部）とを備えた単一部品である。プレート本体２１は、板厚方向を両ハウジング１０，３０の嵌合方向と平行に向けた平板状をなし、フード部１２内に収容されている。プレート本体２１の外周形状（正面視形状）及び寸法は、フード部１２の内周形状（正面視形状）及び寸法とほぼ同じである。プレート本体２１には、複数のタブ１８を両ハウジング１０，３０の嵌合方向と交差する方向（上下方向及び左右方向）へ相対変位させないように貫通させるための複数の貫通孔２２が形成されている。
【００１７】
一対のガイドアーム２３は、ハウジング本体のガイド孔１５内に嵌入されている。可動部材２０は、ガイドアーム２３をガイド孔１５に摺接させることで、初期位置（図２〜５を参照）と、初期位置より後方の嵌合位置（図６，７を参照）との間で前後方向に平行移動し得るようになっている。可動部材２０が初期位置にある状態では、プレート本体２１が、フード部１２の奥端面（ハウジング本体の前端面）から前方へ離間した位置に配され、各貫通孔２２にタブ１８の前端部（突出端部）が貫通している。可動部材２０が嵌合位置にある状態では、プレート本体２１がハウジング本体の前端面に当接し、タブ１８の基端部が貫通孔２２を貫通する。
【００１８】
一対の係止アーム２４は、プレート本体２１の上端縁部から後方へ片持ち状に延出した形態である。係止アーム２４は、フード部１２の後端部からフード部１２の外部後方へ突出し、ハウジング本体の上面に沿うように配されている。係止アーム２４の後端部の係止突起２５が係止受け部１４に係止すると、可動部材２０が初期位置に保持される。係止突起２５と係止受け部１４が係止している状態から可動部材２０に後方への押圧力が作用すると、一対の係止アーム２４が互いに接近するように弾性変形して、係止突起２５が係止受け部１４から解離し、可動部材２０が嵌合位置側への移動を開始する。
【００１９】
可動部材２０のプレート本体２１には、可動部材２０とタブ１８を雌側ハウジング３０及び雌端子金具３４に対して位置決めするための位置決め凸部２６が形成されている。位置決め凸部２６は、プレート本体２１の前面（雌側ハウジング３０との対向面）における１箇所から前方へ片持ち状に突出した形態である。位置決め凸部２６は、上下方向においてはプレート本体２１の上端縁部に配され、左右方向においてはプレート本体２１の中央部に配されている。
【００２０】
位置決め凸部２６は、プレート本体２１と略直角をなし、板厚方向を上下方向に向けた板状をなしている。位置決め凸部２６の平面視形状は、前端側に向かって幅寸法が次第に小さくなるような等脚台形である。位置決め凸部２６の左右両側縁部は、両ハウジング１０，３０の嵌合方向に対して傾斜したガイド縁部２７となっている。位置決め凸部２６の側面視形状は、前端側に向かって厚さが次第に薄くなるような楔形である。位置決め凸部２６の上下両面は、両ハウジング１０，３０の嵌合方向に対して傾斜したガイド外面２８となっている。
【００２１】
雌側ハウジング３０は、全体としてブロック状をなす。雌側ハウジング３０内には、複数の雌端子金具３４が、雄端子金具１６と対向するように上下左右に整列して収容されている。両ハウジング１０，３０が嵌合する過程では、雌側ハウジング３０が、フード部１２内に嵌入し、可動部材２０のプレート本体２１に当接し、可動部材２０と一体となってフード部１２の奥方へ移動するようになっている。雌側ハウジング３０に押し動かされた可動部材２０が、嵌合位置に到達すると、両ハウジング１０，３０が正規の嵌合状態となり、タブ１８が雌側ハウジング３０内に進入して雌端子金具３４と接続される。
【００２２】
雌側ハウジング３０には、両ハウジング１０，３０の嵌合過程で、可動部材２０とタブ１８を雌側ハウジング３０と雌端子金具３４に対して上下左右に位置決めするための手段として、位置決め凸部２６と嵌合可能な位置決め凹部３１（請求項に記載の雌側位置決め部）が形成されている。位置決め凹部３１は、雌側ハウジング３０の前端面（雄側ハウジング１０及び可動部材２０との対向面）を横長のスリット状に凹ませた形態である。
【００２３】
位置決め凹部３１の平面視断面形状は、後端側（位置決め凹部３１の奥側）に向かって幅寸法が次第に小さくなるような等脚台形をなしている。位置決め凹部３１の左右両内側面は、両ハウジング１０，３０の嵌合方向に対して傾斜したガイド内側面３２となっている。位置決め凹部３１の側面視断面形状は、後端側に向かって高さが次第に小さくなるような楔形をなしている。位置決め凹部３１の上下両面は、両ハウジング１０，３０の嵌合方向に対して傾斜したガイド内面３３となっている。
【００２４】
次に、本実施例の作用を説明する。両ハウジング１０，３０を嵌合する際には、両ハウジング１０，３０が離脱している状態において、予め、可動部材２０を初期位置に保持しておく（図２を参照）。この状態から、両ハウジング１０，３０の嵌合を開始し、雌側ハウジング３０をフード部１２内に嵌入させる。嵌合が進むと、図３に示すように、位置決め凸部２６の前端部が位置決め凹部３１内に進入し始める。この間、タブ１８は、雌側ハウジング３０と非接触の状態（雌側ハウジング３０の前端面がタブ１８の前端に到達しない状態）を保つ。
【００２５】
この状態から更に、両ハウジング１０，３０の嵌合を進めると、図４に示すように、位置決め凸部２６の全体が位置決め凹部３１内に嵌入され、雌側ハウジング３０の前端面が可動部材２０（プレート本体２１）の前面に対し面当たり状態で当接する。このとき、可動部材２０は初期位置に保持されたままである。
【００２６】
位置決め凸部２６と位置決め凹部３１の嵌合過程では、位置決め凸部２６のガイド縁部２７と位置決め凹部３１のガイド内側面３２が摺接することにより、プレート本体２１と雌側ハウジング３０が左右方向に位置決めされる。同時に、位置決め凸部２６のガイド外面２８と位置決め凹部３１のガイド内面３３が摺接することにより、プレート本体２１と雌側ハウジング３０が上下方向に位置決めされる。
【００２７】
このように位置決め凸部２６と位置決め凹部３１の嵌合によって、プレート本体２１（可動部材２０）と雌側ハウジング３０が位置決めされた状態では、タブ１８の前端は、雌側ハウジング３０とは接触していない（図５を参照）。この位置決め状態から、更に、両ハウジング１０，３０の嵌合を進めると、係止アーム２４が弾性変形して係止突起２５が係止受け部１４から外れ、可動部材２０が雌側ハウジング３０と一体となってフード部１２内をその奥方へ移動する。
【００２８】
可動部材２０が移動するのに伴い、タブ１８おける貫通孔２２の貫通位置が前端から基端側（後端側）へ移動していき、タブ１８が雌側ハウジング３０内に挿入されていく。ここで、プレート本体２１が雌側ハウジング３０に対して上下左右方向に位置決めされているので、プレート本体２１の貫通孔２２に貫通されているタブ１８の前端部も、雌側ハウジング３０に対して上下方向及び左右方向に関して位置決めされる。したがって、タブ１８は、雌側ハウジング３０の前端面と接触することなく、雌側ハウジング３０の内部に進入して雌端子金具３４に接続される。図６，７に示すように、プレート本体２１がフード部１２の奥端面（ハウジング本体部１１の前端面）に当接すると、両ハウジング１０，３０が正規嵌合状態となる。
【００２９】
本実施例のコネクタは、雄側ハウジング１０と、雄側ハウジング１０に設けた複数の雄端子金具１６と、雄側ハウジング１０と対向するように配される雌側ハウジング３０と、雌側ハウジング３０に設けた複数の雌端子金具３４とを備えている。雄側ハウジング１０と雌側ハウジング３０が対向する位置関係で接近すると、雄端子金具１６の前端部のタブ１８が、雌側ハウジング３０内に挿入されて雌端子金具３４と接続するようになっている。
【００３０】
本実施例のコネクタでは、タブ１８と雌端子金具３４の接続動作の安定化を図る手段として、雄側ハウジング１０に、タブ１８を相対変位可能に貫通させた状態で移動可能な可動部材２０を設け、可動部材２０における雌側ハウジング３０との対向面に位置決め凸部２６を形成し、雌側ハウジング３０における可動部材２０との対向面に位置決め凹部３１を形成した。位置決め凸部２６と位置決め凹部３１は、タブ１８の前端部が可動部材２０のプレート本体２１を貫通し且つ雌側ハウジング３０と非接触の状態で、互いに嵌合する。
【００３１】
本実施例のコネクタによれば、タブ１８の前端部が可動部材２０を貫通している状態で雄側ハウジング１０と雌側ハウジング３０を接近させると、タブ１８が雌側ハウジング３０と非接触の状態で雄側位置決め部と雌側位置決め部が嵌合する。この嵌合により、可動部材２０とタブ１８の前端部が、雌側ハウジング３０と雌端子金具３４に対して上下方向及び左右方向に位置決めされるので、タブ１８と雌端子金具３４との接続動作が安定する。
【００３２】
また、雄側ハウジング１０には、タブ１８と可動部材２０を収容し且つ雌側ハウジング３０を嵌入させるフード部１２が形成されている。そして、可動部材２０の雄側位置決め部が突起状の位置決め凸部２６であり、雌側ハウジング３０の雌側位置決め部が凹んだ形態の位置決め凹部３１である。この構成によれば、フード部１２により、位置決め凸部２６を異物の干渉から保護することができる。雌側ハウジング３０の外面に露出状態で形成されている位置決め凹部３１は、凹んだ形態なので、異物の干渉によって変形等を来す虞がない。
【００３３】
また、可動部材２０のプレート本体２１は、板厚方向を雄側ハウジング１０と雌側ハウジング３０の嵌合方向と平行に向けた平板状をなしており、位置決め凸部２６が、プレート本体２１に対して略直角に突出した板状をなしている。プレート本体２１（可動部材２０）は、平板状をなすため、フード部１２内における移動過程で姿勢を傾けることが懸念される。しかし、位置決め凸部２６がプレート本体２１と略直角な板状をなしているので、位置決め凸部２６が位置決め凹部３１に嵌合すれば、プレート本体２１（可動部材２０）の傾きが防止される。
【００３４】
＜他の実施例＞
本発明は上記記述及び図面によって説明した実施例に限定されるものではなく、例えば次のような実施例も本発明の技術的範囲に含まれる。
（１）上記実施例では、雄側位置決め部を突起状とし、雌側位置決め部を凹んだ形態としたが、雄側位置決め部を凹んだ形態とし、雌側位置決め部を突起状としてもよい。
（２）上記実施例では、可動部材が平板状をなしているが、可動部材は、フード部の内周に摺接可能な周壁部を有していてもよい。
（３）上記実施例では、雄側位置決め部が、可動部材に対して略直角に突出した板状をなしているが、雄側位置決め部はリブ状に突出した形状やボス状に突出した形状であってもよい。
（４）上記実施例では、雄側位置決め部が、可動部材の外周縁に近い位置に配されているが、雄側位置決め部は、可動部材の正面における中央部に配されていてもよい。
（５）上記実施例では、雄側位置決め部と雌側位置決め部を１つずつ形成したが、雄側位置決め部と雌側位置決め部は複数ずつ形成してもよい。
【符号の説明】
【００３５】
１０…雄側ハウジング
１２…フード部
１６…雄端子金具
１８…タブ
２０…可動部材
２６…位置決め凸部（雄側位置決め部）
３０…雌側ハウジング
３１…位置決め凹部（雌側位置決め部）
３４…雌端子金具
【図１】
2018113205.tif 000003
【図２】
2018113205.tif 000004
【図３】
2018113205.tif 000005
【図４】
2018113205.tif 000006
【図５】
2018113205.tif 000007
【図６】
2018113205.tif 000008
【図７】
2018113205.tif 000009
【図８】
2018113205.tif 000010
【図９】
2018113205.tif 000011
【図１０】
2018113205.tif 000012
【図１１】
2018113205.tif 000013
【図１２】
2018113205.tif 000014